(57)【特許請求の範囲】
【請求項１】
舞台床の下方となる奈落床に設けられて迫り装置における下降位置にある迫り床で閉塞される開口を有するピットと、このピットに配設されて迫り床を昇降させる昇降手段と、ピットの内壁に沿う昇降を可能にする手摺体と、迫り床の昇降時に手摺体を昇降させる連れ運動機構とを有してなる昇降手摺装置において、連れ運動機構が一端を迫り床に連結すると共に他端を手摺体あるいは舞台床側に連結させる牽引部材を有し、この牽引部材の中間部が舞台床側に配設の複数となる滑車に掛け回されると共に、手摺体に配設の単数もしくは複数となる滑車に掛け回されてなることを特徴とする昇降手摺装置。
【請求項２】
牽引部材の中間部が奈落床側に配設の単数となる滑車に掛け回されてなる請求項１に記載の昇降手摺装置。
【請求項３】
舞台床が奈落床から上昇する迫り床で閉塞される開口を有する一方で、奈落床にある迫り床が上昇して舞台床にある開口を閉塞する際の上昇ストロークに対して手摺体における上昇ストロークが１／３以下になるように設定されてなる請求項１または請求項２に記載の昇降手摺装置。
【請求項４】
迫り床が最下降してピットの開口を閉塞すると共に手摺体が下降してピットにあるときに、手摺体の上端がピットの開口を有する奈落床面に位置決められ、あるいは、ピットの開口を有する奈落床面の下方に位置決められてなる請求項１，請求項２または請求項３に記載の手摺装置。
【請求項５】
手摺体がピットの内壁に沿って水平方向に延在される下辺基部と、この下辺基部の両端部からそれぞれ上方に立上る支柱部と、この両側の支柱部の上端を繋ぐ上辺手摺部とを有し、下辺基部における延長部に牽引部材の他端を連結し、あるいは、牽引部材の中間部における掛け回しを許容する滑車を有してなる請求項１，請求項２，請求項３または請求項４に記載の手摺装置。
【発明の詳細な説明】
【技術分野】
【０００１】
この発明は、昇降手摺装置に関し、特に、舞台と舞台下方の奈落との間に設けられる迫り装置における迫り床を昇降させるための昇降手段を設置させる奈落に形成のピットに人などが落下するのを防止する手摺体を有する昇降手摺装置の改良に関する。
【背景技術】
【０００２】
周知のように、演劇型ホールなどにあっては、多くの場合に、舞台と舞台下方の奈落との間に迫り装置が設けられるが、この迫り装置における迫り床は、奈落におけるピットに設置される昇降手段で昇降される。
【０００３】
そして、昇降手段が設置されるピットは、奈落床を下方に掘り下げるようにして設けられると共に開口が迫り床で閉塞されるように設定され、したがって、ピットの開口が迫り床の最下降で閉塞されるときには、ピットに人や物などが落下する危惧はなく、たとえば、迫り床に対する人の乗降の際における安全が保障される。
【０００４】
しかし、たとえば、迫り床が舞台床の開口を閉塞しているなどの迫り床の上昇時には、ピットの開口が露呈し、したがって、ピットに人や物などが落下する危険がある。
【０００５】
そこで、迫り床が上昇してピットの開口が露呈するときには、指針などで定められていることもあって、人がピットに落下しないようにピットの開口周辺に手摺体やそれに類する物を設けることが常套とされ、そのため、たとえば、特許文献１に開示の昇降手摺装置の提案がある。
【０００６】
すなわち、この特許文献１に開示の昇降手摺装置は、基本的には、舞台床の下方となる奈落床に設けられて迫り装置における下降位置にある迫り床で閉塞される開口を有するピットと、このピットに配設されて迫り床を昇降させる昇降手段と、ピットの内壁に沿う昇降を可能にする手摺体と、迫り床の昇降時に手摺体を昇降させる連れ運動機構とを有してなる。
【０００７】
そして、この昇降手摺装置にあって、連れ運動機構は、一端が迫り床に連結されると共に他端が舞台床側に連結される牽引部材を有し、この牽引部材における中間部が手摺体に配設の滑車に掛け回されている。
【０００８】
それゆえ、この特許文献１に開示の昇降手摺装置にあっては、迫り床が昇降手段で昇降されるときに手摺体が連れ運動で昇降されるから、迫り床が下降してピットの開口を閉塞するときには、手摺体がピット内に埋没するように下降して、迫り床に対する人の乗降を可能すると共に、迫り床が上昇するときには、上昇する手摺体がピットの開口を言わば遮蔽して、ピットへの人や物の落下を防止することになる。
【先行技術文献】
【特許文献】
【０００９】
【特許文献１】特許第３８８６０８１号公報（明細書中の段落００２３，同００２８から同００３５の記載および図１）
【発明の概要】
【発明が解決しようとする課題】
【００１０】
しかしながら、上記した特許文献１に開示の提案にあっては、手摺体の上昇による開口の遮蔽でピットへの人や物の落下を防止し得る点で、基本的に問題がある訳ではないが、利用の実際を勘案すると、些かの不具合があると指摘される可能性がある。
【００１１】
すなわち、上記した特許文献１に開示の提案にあっては、手摺体の昇降ストロークは、牽引部材の中間部を掛け回す滑車が単数とされるから、このことに起因して迫り床の昇降ストロークの１／２になる。
【００１２】
それゆえ、規模が大きくなる傾向にある近年の演劇型ホールのように奈落が深くなる場合、つまり、奈落床から舞台床までの高さが大きくなって迫り床の昇降ストロークが大きくなる場合には、これに伴い、手摺体の昇降ストロークも大きくなる。
【００１３】
したがって、奈落床から舞台床までの高さが大きくなる場合には、上昇した手摺体の上端位置が高くなり過ぎる事態が招来され、たとえば、ピットに配設の昇降手段を点検するために奈落床から手摺体の上端越しにピットを覗いたりピットに立ち入ろうとしたりする場合にそれを実現できない不具合が招来される。
【００１４】
そして、手摺体の上端位置が高くなることで、その分手摺体が縦方向に大きく形成され、したがって、この手摺体のピットにおける格納深さが大きくなり、その分、ピットにおける手摺体の格納深さをより深くしなければならなくなる不具合をも招く。
【００１５】
この発明は、上記した事情を鑑みて創案されたものであって、その目的とするところは、奈落床から舞台床までの高さが大きくなる場合にも、手摺体をいたずらに大きく形成させずして、上昇する手摺体の上端位置を最適にしながらピットの開口を遮蔽することで、ピットへの人や物の落下を効果的に防止し得るようにし、その汎用性の向上を期待するのに最適となる昇降手摺装置を提供することである。
【課題を解決するための手段】
【００１６】
上記した目的を達成するために、この発明による昇降手摺装置の構成を、基本的には、舞台床の下方となる奈落床に設けられて迫り装置における下降位置にある迫り床で閉塞される開口を有するピットと、このピットに配設されて迫り床を昇降させる昇降手段と、ピットの内壁に沿う昇降を可能にする手摺体と、迫り床の昇降時に手摺体を昇降させる連れ運動機構とを有してなるとする。
【００１７】
そして、上記の昇降手摺装置において、より具体的には、連れ運動機構が一端を迫り床に連結すると共に他端を手摺体あるいは舞台床側に連結させる牽引部材を有し、この牽引部材の中間部が舞台床側に配設の複数となる滑車に掛け回されると共に、手摺体に配設の単数もしくは複数となる滑車に掛け回されてなるとする。
【発明の効果】
【００１８】
それゆえ、この発明にあっては、連れ運動機構において、一端が迫り床に連結されると共に他端が手摺体あるいは舞台床側に連結される牽引部材の中間部が舞台床側に配設の複数となる滑車に掛け回されると共に、手摺体に配設の単数もしくは複数となる滑車に掛け回されてなるから、牽引部材の他端が連結される部位を手摺体にするか舞台床側にするかの選択と、手摺体および舞台床側に配設される滑車数の選択とで、迫り床の昇降ストロークに対する手摺体の昇降ストロークを任意の比率、いわゆる奇数割り、あるいは、偶数割りのいずれかに設定し得る。
【００１９】
その結果、この発明によれば、奈落床から舞台床までの高さが区々に大きくなる場合にも、手摺体をいたずらに大きくすることなく、上昇した手摺体における上端位置を最適に設定しながら、ピットにおける開口の遮蔽を可能にして、ピットへの人や物の落下を効果的に防止し得る。
【図面の簡単な説明】
【００２０】
【図１】この発明の昇降手摺装置が具現化される迫り装置を示す概略立面図である。
【図２】この発明の昇降手摺装置における牽引部材の掛け回し状態の一の実施形態を示す概略図である。
【図３】この発明の昇降手摺装置における手摺体の他の実施形態を示す正面図である。
【図４】この発明の昇降手摺装置における牽引部材の掛け回し状態の他の実施形態を図２と同様に示す図である。
【図５】この発明の昇降手摺装置における牽引部材の掛け回し状態の他の実施形態を図２と同様に示す図である。
【図６】この発明の昇降手摺装置における牽引部材の掛け回し状態の他の実施形態を図２と同様に示す図である。
【図７】この発明の昇降手摺装置における牽引部材の掛け回し状態の他の実施形態を図２と同様に示す図である。
【発明を実施するための形態】
【００２１】
以下に、図示した実施形態に基づいて、この発明を説明するが、この発明による昇降手摺装置は、好ましくは、図１に示す迫り装置に具現化される+のが良く、そこで、先ずは、この迫り装置について少し説明する。
【００２２】
すなわち、この種の迫り装置は、たとえば、演劇型ホールなどの舞台と舞台下方の奈落とを連絡させて、人や大道具あるいは小道具などの物の往復を可能にするもので、その規模によって大迫りや小迫りと称されることがある。
【００２３】
ちなみに、この種の迫り装置としては、他に、舞台と客席との間と、奈落とを連絡してオーケストラ用とされるオケ迫りと称されるものや、さらには、舞台に通じる花道と奈落とを連絡させて言わば一人用とされるスッポン迫りと称されるものなどがある。
【００２４】
そして、この発明の具現化に適する迫り装置としては、いわゆる大型の部類に属する大迫りやオケ迫りであって、基本的には、上方たる舞台とこの舞台の下方たる奈落との間で昇降する昇降床たる迫り床１と、この迫り床１を昇降させる昇降手段２とを有してなる。
【００２５】
ちなみに、迫り装置が、たとえば、スッポン迫りのように一人用とされる場合には、仮にピットＰが設けられるとしてもその規模は小さく、したがって、人や物が落下する危険が少ないと考えられ、たとえば、可搬型となる小型の手摺体やこれに類する物などが設置されることで足りるとされる場合には、昇降手摺装置の配設が省略されるであろう。
【００２６】
そして、上記の大迫りやオケ迫りにあっては、舞台や奈落にいる操作者の操作で、あるいは、あらかじめプログラムが読み込まれたコントローラ類の制御するところなどで、昇降手段２が駆動し、迫り床１が昇降、すなわち、迫り床１が舞台における舞台床Ｆ１と奈落における奈落床Ｆ２との間で昇降する。
【００２７】
ちなみに、舞台なる語は、舞台床Ｆ１を指す場合と、舞台床Ｆ１の上方となる空間を指す場合と、舞台床Ｆ１とその上方の空間との合体されたものを指す場合とがあり、奈落なる語についても、同様に、奈落床Ｆ２を指す場合と、奈落床Ｆ２の上方となる空間を指す場合と、奈落床Ｆ２とその上方の空間との合体されたものを指す場合とがある。
【００２８】
そこで、この明細書中にあっては、舞台および奈落なる語は、要する場合を除き、明確に区別することなく使うことがあることを断っておく。
【００２９】
ところで、迫り床１は、本来的には、昇降床であるから、所定の機械的強度が保障される限りにおいて、可能な限りに軽量化されるとし、たとえば、上端部を人の立ち入りや物の載置を許容する平坦部１ａにしながら全体がフレーム構造に形成される。
【００３０】
このとき、迫り床１は、図１中に仮想線図で示すように、時として、これが舞台床Ｆ１より上方に突出されることがあり、そのため、図示しないが、たとえば、迫り床１と舞台床Ｆ１との間に生じる隙間から物が落下したりしないように、舞台の袖に対向する側壁１１や客席（図示せず）からの視界の範囲内に露出する側壁（図示せず）が設けられることがある。
【００３１】
なお、この種の迫り装置において迫り床１の平面形状は、多くの場合に、矩形とされるが、その他の形状としては円形とされる場合があり、この迫り床１が円形とされる場合には、水平方向に回転する回り舞台とされることもある。
【００３２】
一方、昇降手段２は、図１中に仮想線図で示すように、迫り床１が最下降されてピットＰの上端たる開口（符示せず）を閉塞する状態にあるときから、図１中に実線図で示すように、迫り床１が言わば最上昇されて舞台床Ｆ１の開口（符示せず）を閉塞する状態になることを可能にする周知の構成のものが選択される。
【００３３】
この周知の構成のものとしては、図示しないが、たとえば、リンク式，ネジ式，ラックアンドピニオン式および油圧式からなるものの他、図示するスパイラリフト式からなるものがあり、任意に選択されて良い。
【００３４】
ただ、この発明における昇降手摺装置が利用される場面としては、奈落が深い、すなわち、奈落床Ｆ２から舞台床Ｆ１までの高が比較すれば大きくなる場合を想定するから、この観点からすると、スパイラリフト式が作動高さに比較してピットＰにおける格納高さを小さくするので、このスパイラリフト式のものが昇降手段２として選択されるのが好ましいであろう。
【００３５】
ところで、ピットＰは、奈落床Ｆ２を下方に堀下げるようにして形成され、上端たる開口が奈落床Ｆ２に開口して下降位置にある迫り床１の臨在を許容すると共に、迫り床１を昇降させる上記の昇降手段２を設置させる、つまり、格納させる言わば機械室の如き空間を構成する。
【００３６】
そこで、このピットＰにあっては、開口が必要以上に開放状態にあるのは人や物の落下を防止する上では好ましくなく、したがって、迫り床１が最下降してピットＰの開口が閉塞される場合には、人や物の落下を危惧しなくて済み、たとえば、迫り床に対する人の乗降の際における安全を保障する。
【００３７】
しかし、この種の迫り床１は、多くの場合に、最上昇されて舞台床Ｆ１の開口を閉塞した状態に長時間維持され、したがって、ピットＰの開口は、開放された状態の時間が長くなり、その分、人や物の落下が危惧される。
【００３８】
そこで、前述したことでもあるが、迫り床１が上昇してピットＰの開口が露呈するときには、ピットＰに人や物が落下しないようにピットＰの開口周辺に手摺体やそれに類する物を設けることが常套とされることもあって、この発明において、前記した特許文献１に開示されているところと同様に、昇降手摺装置を提案する。
【００３９】
そして、この発明による昇降手摺装置にあっては、迫り装置やピットＰが以上のように形成されているときに、図２に示すように、ピットＰ（図１参照）の内壁（符示せず）に沿う昇降を可能にする手摺体３と、迫り床１（図１参照）の昇降時に手摺体３を昇降させる連れ運動機構（符示せず）とを有してなる。
【００４０】
そしてまた、この昇降手摺装置にあって、連れ運動機構は、迫り装置における迫り床１の昇降時に手摺体３を連れ運動で昇降させるもので、牽引部材４を有し、この牽引部材４が迫り床１に手摺体３を吊持させることを基本とする。
【００４１】
先ず、手摺体３は、ピットＰの内壁に沿う昇降を可能にするように設けられるもので、その上昇時に上端位置が、たとえば、奈落床Ｆ２から１．１〜１．３メートル、つまり、大人のほぼ胸の高さ位までとされながらピットＰの開口を遮蔽する。
【００４２】
この手摺体３の上端位置が大人のほぼ胸の高さ位までに設定されるのは、たとえば、点検者によるピットＰの点検作業、すなわち、奈落床Ｆ２から手摺体３の上端越しにピットＰを覗き込むようにして、あるいは、手摺体３の上端を乗り越えて立ち入るようにして、ピットＰに配設の昇降手段２の状況を点検する点検者の点検作業を実践し易くするための配慮からである。
【００４３】
また、この手摺体３にあっては、これがピットＰの内壁に沿う昇降を可能にすることもあって、最下降時には、基本的には、ピットＰに埋没されて上端が迫り床１の下に収納され、奈落床Ｆ２に露呈しない方が良い。
【００４４】
尤も、この発明による手摺昇降装置にあっては、上昇した手摺体３にあって、上端位置が奈落床Ｆ２から１．１〜１．３メートルくらいにあることを要件とするから、下降されてピットＰにあるときには、下降した手摺体３にあって、上端位置が奈落床Ｆ２から突出しない限りにおいて、いわゆる深い位置にあっても構わないことになる。
【００４５】
特に、後述するが、この発明にあっては、奈落床Ｆ２から舞台床Ｆ１までの高さが区々になる場合にも、その実施を可能にするから、奈落床Ｆ２から舞台床Ｆ１までの高さ如何によっては、下降してピットＰにある手摺体３にあって、上端位置が奈落床Ｆ２より下方の深い位置にならざるを得ない場合もあり、その際の需要にも応え得ることになる。
【００４６】
そして、この手摺体３にあっては、これが配設されることでピットＰの開口を遮蔽し、ピットＰに人や物が落下することを防止するとの観点からすれば、任意の構造に形成されて良い。
【００４７】
このとき、手摺体３が、たとえば、フレーム構造体からなる場合には、いわゆる軽量化が可能になり、牽引部材４たるたとえばワイヤをいたずらに太く設定せずして、前記した昇降手段２の作動性能を向上させることが可能になる。
【００４８】
そして、手摺体３は、図示するところにあって、フレーム構造体からなるとし、図２に示すように、下辺基部３１と、支柱部３２と、上辺手摺部３３とを有し、さらには、間柱部３４と、斜材部３５と有し、図示しないが、下辺基部３１，支柱部３２および上辺手摺部３３からなる平面部に金網などの網体が展設されてなるとしても良い。
【００４９】
また、この手摺体３にあっては、前記したように、ピットＰの開口を遮蔽しながらピットＰの昇降手段２の点検を可能にすることからすれば、図示しないが、下辺基部３１，支柱部３２および上辺手摺部３３からなる平面部に扉が設けられて、点検者の扉を開けてのピットＰへの立ち入りを許容するとしても良い。
【００５０】
そして、この手摺体３にあって、下辺基部３１は、ピットＰの内壁に沿って水平方向に延在されるとし、後述する牽引部材４の他端（符示せず）を連結させると共に滑車５ｃの保持を可能にすることから所定の機械的強度を有するように、たとえば、断面をＩ型や角型にするなどの軽量型鋼からなる。
【００５１】
それに対して、この手摺体３にあって、支柱部３２，上辺手摺部３３，間柱部３４および斜材部３５は、基本的には、所定の機械的強度を有するように形成されることで足り、たとえば、金属パイプからなる。
【００５２】
このとき、この手摺体３にあって、支柱部３２は、下辺基部３１の両端部から上方に向けて立ち上り、図示しないが、左右の一対とされ、上辺手摺部３３は、左右の支柱部３２の上端を繋ぐように設けられ、間柱部３４および斜材部３５は、主に、下辺基部３１と上辺手摺部３３とに連結されて、下辺基部３１，支柱部３２および上辺手摺部３３からなる平面部を補強する。
【００５３】
ちなみに、この手摺体３にあって、支柱部３２と上辺手摺部３３とは、これが一本のパイプ体で一体に形成されても良い。
【００５４】
ところで、前述したが、手摺体３は、ピットＰの内壁に沿って昇降可能とされるもので、これにより、手摺体３とピットＰの開口縁部との間にいたずらに隙間を出現させないように設定でき、このとき、この手摺体３がピットＰの内壁に沿って昇降可能とされる構成については、任意に設定できる。
【００５５】
たとえば、図示しないが、ピットＰの内壁に上下となるガイド部材を設け、あるいは、ピットＰの内壁に上下に延びるガイドレールを設け、このガイド部材やガイドレールに手摺体３を、すなわち、手摺体３におけるたとえば支柱部３２を連結させることでピットＰの内壁に沿った昇降を可能にするとしても良い。
【００５６】
また、手摺体３をピットＰの内壁に沿うようにして昇降可能にするとの観点からすれば、上記したところに代えて、図示しないが、ガイド支柱がピットＰの上端を開口させる奈落床Ｆ２に起立され、この奈落床Ｆ２に起立するガイド支柱に手摺体３における支柱部３２が連結されてなるとしても良い。
【００５７】
いずれにしても、手摺体３がピットＰの内壁に沿うようにして昇降可能とされるとき、手摺体３がピットＰの内壁や奈落床Ｆ２などいわゆる固定側に連結される設定の場合には、たとえば、上昇してピットＰの開口を遮蔽している手摺体３に人が衝突するなどしても、手摺体３の移動を効果的に阻止し、人がピットＰ内に落下することを未然に防止し得る点で有利となる。
【００５８】
そして、奈落床Ｆ２に起立するガイド支柱に手摺体３が連結する設定の場合には、このガイド支柱が安全柵を構成する柱体になると設定でき、たとえば、手摺体３がピットＰ内に下降して迫り床１上への人の立ち入りが許容されるときでも、迫り床１が上がり始めるときなどは、安全柵を開放できず、したがって、迫り床１への立ち入りが阻止され、迫り床１を利用する者への安全対策を一層充実させ得ることになる点で有利となる。
【００５９】
なお、手摺体３が所定の上昇位置にあるとき、下辺基部３１については、これがピットＰに臨在されるように位置決められているのが好ましいが、必ずしもこれに限定される訳ではなく、たとえば、下辺基部３１と奈落床Ｆ２との間にわずかな隙間を出現させる程度に上昇してピットＰの外に位置決められるとしても良い。
【００６０】
ところで、上記したところにあっては、手摺体３がいわゆるパネル状に形成されてなるとして説明したが、前記した迫り床１は、かなりの広さの平坦部１ａを有するのが常態で、このことからすると、この迫り床１で閉塞されるピットＰの開口もかなりの広さを有することになる。
【００６１】
その結果、このピットＰの開口を遮蔽する手摺体３も、これを上面から見る平面視にあっては、迫り床１と同様にかなりの広さのを有することになり、したがって、この手摺体３は、たとえば、図３に示すように、一対となる手摺体３ａ，３ｂを適宜幅で連結する脇体３ｃを有して枠状の外観を呈するように、さらには、底体３ｄをも有して函状の外観を呈するように形成されるのが好ましい。
【００６２】
このように、手摺体３が枠状あるいは函状に形成される場合には、図示しないが、いわゆる四方に個々に配設される手摺体３でピットＰの開口を遮蔽する場合に比較して、単一の制御で手摺体３の昇降を具現化できる点で有利となるのはもちろんのこと、手摺体３における構成部材を太くするなどせずして自己支持性を効果的に向上させ得る点で有利となる。
【００６３】
次に、この発明の昇降手摺装置にあって、連れ運動機構は、たとえば、ワイヤからなる牽引部材４を有すると共に、この牽引部材４の中間部の掛け回しを許容する複数の滑車５ａ，５ｂ，５ｃ，５ｄを有してなる。
【００６４】
すなわち、この連れ運動機構は、図２に示すところにあって、牽引部材４の一端（符示せず）が迫り床１におけるブラケット１２に連結されると共に、牽引部材４の他端が手摺体３における延長部３１ａに連結され、牽引部材４の中間部が、図示するところでは、奈落床Ｆ２側に配設の単数となる滑車５ａに掛け回される一方で、舞台床Ｆ１側に配設の複数となる滑車５ｂ，５ｄに掛け回されると共に、手摺体３の延長部３１ａに配設の単数となる滑車５ｃに掛け回されてなる。
【００６５】
ちなみに、牽引部材４の一端の迫り床１におけるブラケット１２への連結、および、牽引部材４の他端の手摺体３における延長部３１ａへの連結にあっては、図示しないが、ターンバックルなどの牽引部材４における緊張度合いの強弱の選択を可能にする適宜の根止め部材が併用されるのが好ましい。
【００６６】
なお、図示するところにあって、手摺体３に設けられる滑車５ｃは、手摺体３における下辺基部３１の延長部３１ａに設けられ、この延長部３１ａには牽引部材４の他端が連結される。
【００６７】
そして、手摺体３にあって、この下辺基部３１の延長部３１ａは、図示しないが、手摺体３の左右側にそれぞれ設けられ、したがって、連れ運動機構は、手摺体３の左右側にそれぞれ設けられる。
【００６８】
一方、各滑車５ａ，５ｂ，５ｃ，５ｄは、詳しくは図示しないが、それぞれブラケットに回動可能に保持されていて、牽引部材４をいわゆる複数回に亘って転向させることで、手摺体３を吊り上げる力を小さくすると共に、迫り床１の昇降ストロークに対して手摺体３の昇降ストロークの比率を小さくする。
【００６９】
このとき、奈落床Ｆ２側に配設される滑車５ａおよび舞台床Ｆ１側に配設される滑車５ｂ，５ｄは、それぞれ固定滑車とされ、手摺体３に配設される滑車５ｃは、これが動滑車とされる。
【００７０】
これによって、たとえば、前記した特許文献１に開示されているところにあって、一端が迫り床に連結され他端が手摺体に連結される牽引部材における中間部が一個の滑車に掛け回されて転向し、したがって、特に、迫り床の昇降ストロークに対して手摺体の昇降ストロークが１／２となることに比較して、この発明にあっては、迫り床１の昇降ストロークに対する手摺体３の昇降ストロークをより小さくできる。
【００７１】
すなわち、たとえば、図２に示すところにあっては、迫り床１と手摺体３とに連結される牽引部材４の中間部は、四つの滑車５ａ，５ｂ，５ｃおよび５ｄに掛け回されてそれぞれ転向する。
【００７２】
このとき、奈落床Ｆ２に配設される固定滑車５ａとほぼ同レベルに手摺体３に保持される動滑車５ｃおよび牽引部材４の他端位置があり、舞台床Ｆ１側に配設される固定滑車５ｂ，５ｄとほぼ同レベルに迫り床１に連結される牽引部材４の一端位置があると、迫り床１の昇降ストロークに対して手摺体３の昇降ストロークがほぼ１／３になる。
【００７３】
このことは、たとえば、上昇した手摺体３の上端位置を奈落床Ｆ２からほぼ１．３メートルにすることが好ましいと仮定すると、このとき、迫り床１は、奈落床Ｆ２のほぼ４メートル上まで上昇し得ることになり、近年の演劇型ホールのように舞台に対する奈落の深さが極めて大きくなるような場合にあっても、迫り床１の昇降ストロークに比較して、手摺体３における昇降ストロークを最適に設定することが可能になる。
【００７４】
そして、図示するところに代えて、後述する図４および図５に示すように、たとえば、舞台床Ｆ１側および手摺体３に配設される各滑車の数を複数にする場合には、上記の迫り床１の昇降ストロークに対する手摺体３の昇降ストロークとの間の比を一層小さく設定し得ることになる。
【００７５】
また、図２に示す場合にあって、また、後述する図４および図５に示す場合にあっても、選択された滑車、すなわち、舞台床Ｆ１側あるいは手摺体３に配設の滑車であって、選択された滑車における径を他の滑車における径より大小させることで、上記した迫り床１の昇降ストロークに対する手摺体３の昇降ストロークとの間の比を一層細かく小さく設定することが可能になる。
【００７６】
ちなみに、手摺体３の上昇高さが迫り床１の上昇高さに対して最適になるようにするためには、たとえば、迫り床１が最下降位置にあって、ピットＰの開口を閉塞している状態のときに、手摺体１の上端が奈落床Ｆ２と同じ高さにあっても良く、また、奈落床Ｆ２より下方となる深い位置にあっても良い。
【００７７】
そして、上記したところにあって、奈落床Ｆ２側に配設される固定滑車５ａについては、これに代えて、図示しないが、ピットＰ側、たとえば、ピットＰの内壁あるいは内底に配設されても良い。
【００７８】
ところで、上記したところ、すなわち、図２に示すところでは、連れ運動機構にあって、牽引部材４の一端が迫り床１におけるブラケット１２に連結される一方で、牽引部材４の他端が手摺体３における延長部３１ａに連結されるとしたが、これに代えて、以下のように設定されても良い。
【００７９】
すなわち、図４に示すところは、連れ運動機構にあって、牽引部材４の一端が迫り床１におけるブラケット１２に連結される一方で、牽引部材４の他端が舞台床Ｆ１側に連結される。
【００８０】
そして、この図４に示す場合には、牽引部材４の中間部が奈落床Ｆ２側に配設の単数となる滑車５ａに掛け回される一方で、舞台床側に配設の複数となる滑車５ｂ，５ｄに掛け回されると共に、手摺体３における延長部３１ａに配設の複数となる滑車５ｃ，５ｅに掛け回される。
【００８１】
そして、このように設定される場合には、前記した図２に示すところと、以下の点で異なることになる。
【００８２】
すなわち、前記した図２に示すところでは、迫り床１の昇降ストロークに対して手摺体３の昇降ストロークが１／３といわゆる奇数割りになるが、この図４に示す実施形態の場合には、迫り床１の昇降ストロークに対して手摺体３の昇降ストロークを１／４となるいわゆる偶数割りにすることが可能になり、迫り床１の昇降ストロークに対する手摺体３の昇降ストロークとの間の比を一層小さく設定することが可能になる。
【００８３】
次に、図５に示すところにあっては、前記した図２に示すところ同様に、連れ運動機構にあって、牽引部材４の一端が迫り床１におけるブラケット１２に連結される一方で、牽引部材４の他端が手摺体３における延長部３１ａに連結される。
【００８４】
そして、牽引部材４の中間部が奈落床Ｆ２側に配設の単数となる滑車５ａに掛け回される一方で、舞台床Ｆ１側に配設の複数となる滑車５ｂ，５ｄ，５ｆに掛け回されると共に、手摺体３の延長部３１ａに配設の複数となる滑車５ｃ，５ｅに掛け回されてなる。
【００８５】
それゆえ、この図５に示すところにあっては、迫り床１の昇降ストロークに対して手摺体３の昇降ストロークを奇数割り、すなわち、１／５になり、図４に示すところに比較して迫り床１の昇降ストロークに対する手摺体３の昇降ストロークとの間の比を一層小さく設定することが可能になる。
【００８６】
以上のように、この発明による昇降手摺装置にあっては、これが迫り装置に具現化されるとき、迫り床１の昇降に対して連れ運動機構によって手摺体３が昇降する設定とされるから、迫り床１を昇降させるための昇降手段２の他に、手摺体３を昇降させるための駆動源などの設置を不要にし、その駆動源の駆動に伴う騒音の発生などを危惧しなくて済むのはもちろんのこと、連れ運動機構の構成の簡素化が可能になり、その分、昇降手摺装置の設置性が向上されると共に昇降手摺装置におけるコストの低減化に寄与する。
【００８７】
そして、この発明による昇降手摺装置にあっては、連れ運動機構において、一端が迫り床１に連結されると共に他端が手摺体３あるいは舞台床Ｆ１側に連結される牽引部材４の中間部が奈落床Ｆ２側に配設の単数となる滑車５ａに掛け回される一方で、舞台床Ｆ１側に配設の複数となる滑車５ｂ，５ｄ（および５ｆ）に掛け回されると共に、手摺体３に配設の単数もしくは複数となる滑車５ｃ，５ｅに掛け回されてなる。
【００８８】
このことから、この発明による昇降手摺装置にあっては、牽引部材４の他端が連結される部位を手摺体３にするか舞台床Ｆ１側にするかの選択と共に、手摺体３および舞台床Ｆ１側に配設される滑車数の選択とで、迫り床１の昇降ストロークに対する手摺体３の昇降ストロークを任意の比率、いわゆる奇数割り、あるいは、偶数割りのいずれかに設定し得る。
【００８９】
したがって、この発明にあっては、奈落床Ｆ２から舞台床Ｆ１までの高さが区々に大きくなる場合にも、手摺体３をいたずらに大きくすることなく、上昇した手摺体３における上端位置を最適に設定しながら、ピットＰにおける開口の遮蔽を可能にして、ピットＰへの人や物の落下を効果的に防止し得る。
【００９０】
前記したところでは、昇降手摺装置における連れ運動機構が有する牽引部材４は、一端を迫り床１に連結すると共に他端を手摺体３あるいは舞台床Ｆ１側に連結させながら、中間部を舞台床Ｆ１側に配設の複数となる滑車５ｂ，５ｄに掛け回されると共に、奈落床Ｆ２側に配設の単数となる滑車５ａに掛け回されるとした。
【００９１】
しかしながら、この発明が目的とする奈落床Ｆ２から舞台床Ｆ１までの高さが大きくなる場合にも、手摺体３をいたずらに大きく形成させずして、上昇する手摺体３の上端位置を最適にしながらピットＰの開口を遮蔽することで、ピットＰへの人や物の落下を効果的に防止し得るようにすることからすれば、これに代えて、図６および図７に示すように、牽引部材４の中間部が奈落床Ｆ２側に配設の単数となる滑車５ａに掛け回されないようにしても良い。
【００９２】
つまり、この発明による昇降手摺装置にあっても、結局は、牽引部材４の一端は、迫り床１に連結され、他端は、舞台床Ｆ１側あるいは手摺体３に選択的に連結されることで足りると言い得る。
【００９３】
そして、この図６および図７に示すところにあっても、牽引部材４は、滑車を介して複数回転向されるから、手摺体３を吊り上げる力を小さくできると共に、奈落床Ｆ２と舞台床Ｆ１との間隔、すなわち、高さが大きくなる場合にも、手摺体３を最適な高さに上昇させ、また、下降させて最適な収納状態にすることが可能になる。
【００９４】
ちなみに、図６に示すところは、図２に示すところにおいて滑車５ａの配設を省略したものであるが、この図６においては、滑車５ａの配設を省略したことに伴い図２中における舞台床Ｆ１側に配設の滑車５ｂの配設を省略した。
【００９５】
そして、図７に示すところは、図５に示すところにおいて滑車５ａの配設を省略したものであるが、この図７においては、滑車５ａの配設を省略したことに伴い図５中における舞台床Ｆ１側に配設の滑車５ｂの配設を省略した。
【産業上の利用可能性】
【００９６】
舞台と舞台の下方の奈落との間に配設される迫り装置に具現化されて、迫り床を昇降させるための昇降手段を配設させる奈落に形成のピットに人や物が落下するのを阻止するのに向く。
【符号の説明】
【００９７】
１  迫り床
１ａ  平坦部
２  昇降手段
３，３ａ，３ｂ  手摺体
３ｃ  脇体
３ｄ  底体
４  牽引体
５ａ，５ｂ，５ｃ，５ｄ，５ｅ，５ｆ  滑車
１１  側壁
１２  ブラケット
３１  下辺基部
３１ａ  延長部
３２  支柱部
３３  上辺手摺部
３４  間柱部
３５  斜材部
Ｆ１  舞台床
Ｆ２  奈落床
Ｐ  ピット
【図１】
0005679765.tif 000002
【図２】
0005679765.tif 000003
【図３】
0005679765.tif 000004
【図４】
0005679765.tif 000005
【図５】
0005679765.tif 000006
【図６】
0005679765.tif 000007
【図７】
0005679765.tif 000008